(57)【要約】【課題】イベント等に参加する参加者のグループを参加者の意思に基づき発展的に形成すると共に、グループ形成過程の確認を可能とする。【解決手段】近接端末間交信手段（ローカルインターフェイス）を備えた携帯端末３と、グループ分けを行う管理サーバとを備え、管理サーバは、参加者の会員ＩＤ情報を記録する会員個人情報データベース５１、他の携帯端末から取得したＩＤ情報と自己のＩＤ情報との組合せを記録するＩＤ情報組合せデータベース５２、一以上のイベント内容を記録するイベント管理データベース５３、ＩＤグループを登録するＩＤグループ管理データベース５５、ＩＤ情報組合せデータベース５２に記録されたＩＤ情報組合せに共通のＩＤ情報があるものをリンクさせることでＩＤグループを形成するクループ管理手段６７を有し、グループ管理手段６７は予め設定されたグループ形成条件に基づいてイベント参加のグループとしてＩＤグループを形成する。【選択図】図１
2007299077.tif 000002
【特許請求の範囲】
【請求項１】
イベントに参加する複数の参加者をグループ分けするグループ分けシステムであって、近接携帯端末間での情報送受信可能な近接端末間交信手段を備えた前記各参加者の所持する携帯端末と、該携帯端末と情報を送受信して前記参加者のグループ分けを行うグループ分け管理サーバとを備えてなり、
該グループ分け管理サーバは、前記参加者の会員ＩＤ情報を記録する会員個人情報データベースと、一の携帯端末が前記近接端末間交信手段により他の一つ以上の携帯端末から取得したＩＤ情報と前記一の携帯端末のＩＤ情報とのＩＤ情報の組合せを受信して記録するＩＤ情報組合せデータベースと、少なくとも１以上のイベント内容を記録するイベント管理データベースと、前記ＩＤ情報の組合せに基づいて形成されるＩＤグループを登録するＩＤグループ管理データベースと、前記携帯端末と情報を送受信する管理サーバ送受信手段と、前記ＩＤ情報組合せデータベースに記録されたＩＤ情報組合せに共通のＩＤ情報があるものをリンクさせることで前記ＩＤグループを形成するクループ管理手段と、上記各データベースと上記各手段を制御する制御手段とを有し、
前記グループ管理手段は、予め設定されたグループ形成条件に基づいてイベント参加のグループとして前記ＩＤグループを形成することを特徴とするグループ分けシステム。
【請求項２】
前記グループ分け管理サーバは、少なくとも前記携帯端末の画面上に表示する表現パターン情報を記録する表現パターンデータベースを更に有し、前記グループ管理手段は、前記共通ＩＤ情報があるＩＤ情報の組合せ又はＩＤグループをリンクさせて新たなＩＤグループを形成する毎に、前記表現パターンデータベースから抽出した所定の表現パターン情報を、前記新たなＩＤグループに属する参加者の携帯端末に送信することを特徴とする請求項１に記載のグループ分けシステム。
【請求項３】
前記表現パターン情報を受信して表示する表示画面装置をイベント参加者所持備品として更に備え、該表示画面装置は前記携帯端末が表示する表現パターンと同一の表現パターンを新たなＩＤグループが形成される毎に表示することを特徴とする請求項２に記載のグループ分けシステム。
【請求項４】
前記グループ分け管理サーバに各イベント毎の参加者のグループ分けの指令を入力する主催者端末を更に備えることを特徴とする請求項１ないし３の何れか１項に記載のグループ分けシステム。
【請求項５】
前記他の一つ以上の携帯端末から近接端末間交信手段によりＩＤ情報を取得する前記一の携帯端末は、
前記他の一つ以上の携帯端末から近接端末間交信手段を介して当該携帯端末のデータ通信先に関する情報を取得すると共に、前記他の一つ以上の携帯端末から取得した情報により当該携帯端末が本発明のシステム用のアプリケーションを当該携帯端末の記憶部に備えている携帯端末であるかどうかを判断する処理動作と、
当該携帯端末が前記本発明のシステム用のアプリケーションを記憶部に備えていない携帯端末であると判断したときに、前記取得した携帯端末のデータ通信先に関する情報を、前記グループ分け管理サーバへ送信する処理動作を行なう機能を有し、
前記グループ分け管理サーバは、
前記一の携帯端末から、前記携帯端末のデータ通信先に関する情報を取得したときに、当該データ通信先に関する情報に基づいて、前記本発明のシステム用のアプリケーションを、前記携帯端末へダウンロードし、会員ＩＤを割り振る処理動作を行なう機能を有する
ことを特徴とする請求項１乃至４のいずれか一項記載のグループ分けシステム。
【請求項６】
前記他の一つ以上の携帯端末から近接端末間交信手段によりＩＤ情報を取得する前記一の携帯端末は、
前記他の一つ以上の携帯端末から近接端末間交信手段を介して当該携帯端末の携帯端末機器ＩＤ、近接交信手段機器のＩＤ、使用者ＩＤあるいは契約者ＩＤの中のいずれかを取得すると共に、前記他の一つ以上の携帯端末から取得した情報により当該携帯端末が本発明のシステム用のアプリケーションを当該携帯端末の記憶部に備えている携帯端末であるかどうかを判断する処理動作と、
当該携帯端末が前記アプリケーションを記憶部に備えていない携帯端末であると判断したときに、前記取得した携帯端末の携帯端末機器ＩＤ、近接交信手段機器のＩＤ、使用者ＩＤあるいは契約者ＩＤの中のいずれかを、前記グループ分け管理サーバへ送信する処理動作を行なう機能を有し、
前記グループ分け管理サーバは、
前記一の携帯端末から、前記携帯端末の携帯端末機器ＩＤ、近接交信手段機器のＩＤ、使用者ＩＤあるいは契約者ＩＤの中のいずれかを取得したときに、当該取得した前記携帯端末機器ＩＤ、近接交信手段機器のＩＤ、使用者ＩＤあるいは契約者ＩＤの中のいずれかに基づいて、前記携帯端末機器ＩＤ、近接交信手段機器のＩＤ、使用者ＩＤあるいは契約者ＩＤをＩＤ管理データベースにより管理しているＩＤ管理サーバへ、ネットワークを介してアクセスし、
前記取得した前記携帯端末機器ＩＤ、近接交信手段機器のＩＤ、使用者ＩＤあるいは契約者ＩＤの中のいずれかで特定される携帯端末のデータ通信先に関する情報を取得し、
当該データ通信先に関する情報に基づいて、前記本発明のシステム用のアプリケーションを、前記携帯端末へダウンロードし、会員ＩＤを割り振る処理動作を行なう機能を有する
ことを特徴とする請求項１乃至４のいずれか一項記載のグループ分けシステム。
【請求項７】
前記他の一つ以上の携帯端末から近接端末間交信手段によりＩＤ情報を取得する前記一の携帯端末は、
前記他の一つ以上の携帯端末と近接端末間交信手段を介して交信した際に、当該携帯端末から取得した情報により、当該携帯端末が、本発明のシステム用のアプリケーションを当該携帯端末の記憶部に備えている携帯端末であるかどうか判断する処理動作と、
会員ＩＤが割り振られている携帯端末であるかどうかを判断する処理動作を行なうと共に、
当該携帯端末が、前記本発明のシステム用のアプリケーションを記憶部に備えている携帯端末であるが会員ＩＤが割り振られていない携帯端末であると判断したときに、当該携帯端末に対して、近接端末間交信手段を介して、前記本発明のシステム用のアプリケーションを起動させるための情報を送信する処理動作を行なう機能を有する
ことを特徴とする請求項１乃至４のいずれか一項記載のグループ分けシステム。
【請求項８】
前記グループ管理手段は、ＩＤ情報組合せデータベースに記録されたＩＤ情報組合せに共通のＩＤ情報があるものをリンクさせることで、ＩＤグループを形成するたびごとに、その形成時間に関連付けて、形成されたＩＤグループに関する情報をＩＤグループ管理データベースに登録すると共に、同一のＩＤグループの形成過程に関する情報をそのたびごとに、更新し、更新履歴情報をＩＤグループ管理データベースに登録することを特徴とする請求項１乃至７のいずれか一項記載のグループ分けシステム。
【請求項９】
前記グループ管理手段は、あらかじめ定められている時間ごとに、ＩＤグループ管理データベースに登録されている所定の情報、あるいは、グループ分け管理サーバにアクセスしてきた端末からの要求に応じて、当該要求に対応するＩＤグループ管理データベースに登録されている所定の情報を出力する処理動作を行なうことを特徴とする請求項１乃至８のいずれか一項記載のグループ分けシステム。
【請求項１０】
イベントに参加する複数の参加者のグループ分けにおいて、近接携帯端末間での情報送受信可能な近接端末間交信手段を備えた、前記各参加者の所持する携帯端末と情報を送受信して前記参加者のグループ分けを行うグループ分け管理サーバであって、
前記参加者の会員ＩＤ情報を記録する会員個人情報データベースと、一の携帯端末が前記近接端末間交信手段により他の一つ以上の携帯端末から取得したＩＤ情報と前記一の携帯端末のＩＤ情報とのＩＤ情報の組合せを受信して記録するＩＤ情報組合せデータベースと、開催する少なくとも１以上のイベント内容を記録するイベント管理データベースと、前記ＩＤ情報の組合せに基づいて形成されるＩＤグループを登録するＩＤグループ管理データベースと、前記携帯端末と情報を送受信する管理サーバ送受信手段と、前記ＩＤ情報組合せデータベースに記録されたＩＤ情報組合せに共通のＩＤ情報があるものをリンクさせることで前記ＩＤグループを形成するクループ管理手段と、上記各データベースと上記各手段を制御する制御手段とを有し、
前記グループ管理手段は、予め設定されたグループ形成条件に基づいてイベント参加のグループとして前記ＩＤグループを形成することを特徴とするグループ分け管理サーバ。
【請求項１１】
前記グループ分け管理サーバは、少なくとも前記携帯端末の画面上に表示する表現パターン情報を記録する表現パターンデータベースを更に有し、前記グループ管理手段は、前記共通ＩＤ情報があるＩＤ情報の組合せ又はＩＤグループをリンクさせて新たなＩＤグループを形成する毎に、前記表現パターンデータベースから抽出した所定の表現パターン情報を、前記新たなＩＤグループに属する参加者の携帯端末に送信することを特徴とする請求項９に記載のグループ分け管理サーバ。
【請求項１２】
前記グループ管理手段は、ＩＤ情報組合せデータベースに記録されたＩＤ情報組合せに共通のＩＤ情報があるものをリンクさせることで、ＩＤグループを形成するたびごとに、その形成時間に関連付けて、形成されたＩＤグループに関する情報をＩＤグループ管理データベースに登録すると共に、同一のＩＤグループの形成過程に関する情報をそのたびごとに、更新し、更新履歴情報をＩＤグループ管理データベースに登録することを特徴とする請求項１０又は１１記載のグループ分け管理サーバ。
【請求項１３】
前記グループ管理手段は、あらかじめ定められている時間ごとに、ＩＤグループ管理データベースに登録されている所定の情報、あるいは、グループ分け管理サーバにアクセスしてきた端末からの要求に応じて、当該要求に対応するＩＤグループ管理データベースに登録されている所定の情報を出力する処理動作を行なうことを特徴とする請求項１０乃至１２のいずれか一項記載のグループ分け管理サーバ。
【請求項１４】
イベントに参加する複数の参加者をグループ分けするに際し、近接携帯端末間での情報送受信可能な近接端末間交信手段を備えた前記参加者の所持する携帯端末と情報を送受信してグループ分け処理を管理サーバに実行させるグループ分けプログラムであって、
一の携帯端末が前記近接端末間交信手段により他の携帯端末から取得したＩＤ情報と前記一の携帯端末のＩＤ情報とのＩＤ情報の組合せを前記一の携帯端末から受信する処理と、
受信した前記ＩＤ情報の組合せに共通のＩＤ情報があるものをリンクさせることで前記ＩＤグループを予め設定されたグループ形成条件に基づいてイベント参加のグループとして形成する処理と、
をコンピュータに実行させることを特徴とするグループ分けプログラム。
【発明の詳細な説明】
【技術分野】
【０００１】
本発明は、イベント参加者のＩＤ情報の組合せにより、イベント参加者のグループ分けを行うグループ分けシステム、グループ分け管理サーバ及びグループ分けプログラムに関するものである。
【背景技術】
【０００２】
各種競技、催し事そしてリクレーション等のイベント開催に際しては、出会いの楽しさと集団参加の楽しさを与えるため、イベント参加者を所定人数にグループ分けした集団参加形式をとる場合が多い。このグループ分けは、予め参加者の中から無作為に、又は参加者各人の属性等に応じて主催者側により行われているのが一般的であった（例えば、特許文献１参照）。
【０００３】
またグループ形成されて集まった参加者を確認するための同時同所性については、参加者が所持するＧＰＳ装置搭載携帯端末を利用して行われていることが多かった（例えば、特許文献２参照）。
【特許文献１】特開２００４−１７１２３９号公報
【特許文献２】特開２０００−３３１２８４号公報
【発明の開示】
【発明が解決しようとする課題】
【０００４】
しかしながら、上記特許文献１に記載の発明によるグループ分けは、男女ペアの組み合わせを主目的としたもので、予め複数の異性の評価点を入力し、主催者側のサーバにより評価点を集計し、相互間の評価点の高いもの同士のイベント参加を認めるものである。そのためイベント開催現地において参加者同士の直接的な意思によって参加形成されるものでなく、公平性と出会いの楽しみとを担保したグループ分けにならない。
【０００５】
また特許文献２に記載の発明は、ＧＰＳ装置によりグループ参加者の位置を確認するものであるが、これは予めグループ参加者を登録することで参加者相互間で位置確認できる技術手段である。しかるにグループ形成をその場で行い、そして形成したグループへの参加者の位置確認に適用することはできない。すなわちＧＰＳ装置により特定された位置が近接しているというだけでは、相互にグループを形成しているとは限らないからである。またこのようなＧＰＳ装置による同時同所性の確認は、ＧＰＳ装置の搭載がない端末には適用できないという問題もある。
【０００６】
本発明は、イベント等に参加する参加者のグループを、参加者の意思に基づき発展的に形成するとともに、グループ形成過程の確認を可能とする技術的手段の提供を目的とする。
【課題を解決するための手段】
【０００７】
前記目的を達成するために本発明が提案するものは、イベントに参加する複数の参加者をグループ分けするグループ分けシステムであって、近接携帯端末間での情報送受信可能な近接端末間交信手段を備えた前記各参加者の所持する携帯端末と、該携帯端末と情報を送受信して前記参加者のグループ分けを行うグループ分け管理サーバとを備えてなり、該グループ分け管理サーバは、前記参加者の会員ＩＤ情報を記録する会員個人情報データベースと、一の携帯端末が前記近接端末間交信手段により他の一つ以上の携帯端末から取得したＩＤ情報と前記一の携帯端末のＩＤ情報とのＩＤ情報の組合せを受信して記録するＩＤ情報組合せデータベースと、開催する少なくとも１以上のイベント内容を記録するイベント管理データベースと、前記ＩＤ情報の組合せに基づいて形成されるＩＤグループを登録するＩＤグループ管理データベースと、前記携帯端末と情報を送受信する管理サーバ送受信手段と、前記ＩＤ情報組合せデータベースに記録されたＩＤ情報組合せに共通のＩＤ情報があるものをリンクさせることで前記ＩＤグループを形成するクループ管理手段と、上記各データベースと上記各手段を制御する制御手段とを有し、前記グループ管理手段は、予め設定されたグループ形成条件に基づいてイベント参加のグループとして前記ＩＤグループを形成することを特徴とするグループ分けシステムである。
【０００８】
前記において、ＩＤ情報組合せデータベースに記録されたＩＤ情報組合せに共通のＩＤ情報があるものをリンクさせるとは、例えば、共通のＩＤ情報があるものを結合させたり、グループ形成条件にしたがって制御することにより、共通のＩＤ情報があるもののグループを形成することをいう。
【０００９】
また、クループ管理手段によるＩＤグループの形成とは、例えば、複数の参加者を一つのグループにしたり、複数の参加者を複数のグループに分割したり、所属ＩＤに属性を付与することによって、複数の参加者をグループ分けすることをいう。
【００１０】
更に、前記において、近接交信手段により一つ以上の携帯端末からＩＤを取得する場合、ＩＣチップ等の交信手段では同時に一つ以上の携帯端末からＩＤを取得することが起こりえる。例えば、二つ以上の携帯端末から同時にＩＤを取得することが起こりえる。この場合、複数個のＩＤ情報が同時に交換されたものとして処理し、一の携帯端末が前記近接端末間交信手段により他の一つ以上の携帯端末から取得したＩＤ情報と前記一の携帯端末のＩＤ情報とのＩＤ情報の組合せを、３個以上のＩＤ情報の組合せから成るものとして、グループ分け管理サーバで処理することが可能である。あるいは、このような場合、一の携帯端末の処理動作部が行なう処理動作として、なんらかの順番付けを行って、逐次に、２個のＩＤ情報の組み合わせ（一つの他の携帯端末から取得したＩＤ情報と前記一の携帯端末のＩＤ情報とのＩＤ情報の組合せ）として処理するようにもできる。
【００１１】
この発明において、イベントに参加する参加者は、グループ分け管理サーバなどのように、本発明のシステムを提供する者（例えば、イベント主催者）がインターネット等のネットワークに接続可能に設置しているサーバ装置に、自己が所持する携帯端末を介してアクセスする等して、予め会員登録を行い、自己のＩＤ情報（会員ＩＤ）を取得する。このＩＤ情報（会員ＩＤ）はイベント主催者側のグループ分け管理サーバの会員個人情報データベースに記録されると共に、参加者の所持する携帯端末に記録される。
【００１２】
この携帯端末は、近接する携帯端末との間で情報送受信可能な近接端末間交信手段（すなわち、ローカルインターフェイス）を備えたものである。ここで、近接端末間交信手段とは、主としてＩＤ情報を送受信するもので、例えばアンテナ付ＩＣチップとリーダとの組合せをいい、これをイベントに参加する参加者が所持する携帯端末が備え、ＩＣチップに記録された他の携帯端末のＩＤ情報を一の携帯端末のリーダが読取るものである。近接端末間交信手段としては、ｂｌｕｅｔｏｏｔｈ（登録商標）、赤外線通信装置、二次元バーコードとその読取装置等としてもよい。
【００１３】
またこれらの近接端末間交信手段を備えていない携帯端末の為、あるいはこの機能を強化するため無線や有線により携帯端末と連携したＩＤ情報交換のための中継器を設けても良い。これは各種の近接交信手段を備え、連携した端末のＩＤ情報を自己の交信範囲のほかの端末や中継器と交換する機能を持つ。
【００１４】
一の携帯端末は、自己のＩＤ情報と他の携帯端末から読取ったＩＤ情報とのＩＤ情報組合せをグループ分け管理サーバに送信する。この場合、前述したように、二つ以上の携帯端末から同時にＩＤを取得したときには、複数個のＩＤ情報が同時に交換されたものとして処理し、一の携帯端末が前記近接端末間交信手段により他の一つ以上の携帯端末から取得したＩＤ情報と前記一の携帯端末のＩＤ情報とのＩＤ情報の組合せを、３個以上のＩＤ情報の組合せからなるものとして、グループ分け管理サーバに送信することがある。また、このようなときに、一の携帯端末の処理動作部が行なう処理動作として、なんらかの順番付けを行って、逐次に、２個のＩＤ情報の組み合わせ（一つの他の携帯端末から取得したＩＤ情報と前記一の携帯端末のＩＤ情報とのＩＤ情報の組合せ）をグループ分け管理サーバに送信するようにもできる。
【００１５】
グループ分け管理サーバは、参加者の携帯端末から送信されるＩＤ情報組合せを受信し、記録する。そして複数個のＩＤ情報組合せのうち共通のＩＤ情報を有するものをグループ形成条件下でリンクしていくことでＩＤグループを形成する。このＩＤグループがイベント参加のためのグループとなる。
【００１６】
上記グループ形成条件とは、例えば、グループ人数や参加者の男女等あるいは制御実行中の状況に従って各ＩＤに付与される属性に基づく制限をいう。これらの形成条件は、後述するグループ分けプログラムに盛り込まれており、プログラムの制御式等で規定されている。
【００１７】
前記グループ分け管理サーバは、少なくとも前記携帯端末の画面上に表示する表現パターン情報を記録する表現パターンデータベースを更に有し、前記グループ管理手段は、前記共通ＩＤ情報があるＩＤ情報の組合せ又はＩＤグループをリンクさせて新たなＩＤグループを形成する毎に、前記表現パターンデータベースから抽出した所定の表現パターン情報を、前記新たなＩＤグループに属する参加者の携帯端末に送信する形態にすることができる。
【００１８】
新たなグループが形成されると、そのグループに属する参加者の携帯端末の画面等に表示する表現パターンの情報がグループ管理手段から携帯端末に送信される。表現パターンには、携帯端末の画面に表示する文字、画像の情報のほか、音声や発光のための情報も含まれる。そして上記画面の文字には、形成されたグループ人数と全参加者数の双方も表示される。このようにしてグループ分けされた参加者は自の所属するグループが発展形成される毎に、識別表現とグループ情報とがリアルタイムに送られる。なおグループ人数に加え、グループ参加者のＩＤ情報をも表示してもよい。
【００１９】
なおグループ参加者のＩＤ情報（会員ＩＤ）は、参加する各イベント毎に異なるものを設定してもよく、また専用機を持つ、あるいは本発明のシステム用のアプリケーション（コンピュータプログラム）をダウンロードした端末全てに予めＩＤを割り振り、それを各イベントの参加者の会員ＩＤとして利用することにしても良い。参加者に付与するＩＤ情報（会員ＩＤ）には各種のパターンが考えられ、適宜採用する。
【００２０】
またＩＤグループに属する参加者の所持する携帯端末の少なくとも１台にＧＰＳ機能が搭載されていれば、このＧＰＳ機能を実行することでＩＤグループに属する参加者全員の同時同所性が確認できる。よって参加者全員がＧＰＳ機能搭載の携帯端末を所持する必要がない。さらにＧＰＳ機能を一定以上の端末が持つ場合は特定の場所でのイベントの発生やグループ形成の制限などこの発明の利便性をさらにあげることができる。
【００２１】
また前記表現パターン情報を受信して表示する表示画面装置をイベント参加者所持備品として更に備え、該表示画面装置は前記携帯端末が表示する表現パターンと同一の表現パターンを新たなＩＤグループが形成される毎に表示する形態にすることができる。
【００２２】
表現パターンを受信して表示する表示画面装置としては、例えばネームプレート式のものに液晶画面と発光ランプ、スピーカ等を備えて参加者の身体に装着することが考えられる。このようにすれば、表現パターンの表現効果を強化することができるものである。またピアスや腕時計、眼鏡、サングラス等に、画面、発光ランプ、スピーカの少なくとも１以上を設けて表現パターンを表示してもよい。
【００２３】
本発明のシステムにおいては、前記グループ分け管理サーバに各イベント毎の参加者のグループ分けの指令を入力する主催者端末が更に備えられている形態にすることができる。この主催者端末の入力手段からの入力により、グループ分け管理サーバに主催者側のグループ分け指令を各イベント毎に送ることができ、さらにグループ分け管理サーバの各データベースの登録、変更も可能となる。
【００２４】
また主催者端末から指令を受けたグループ分け管理サーバにおいては、制御式作成手段が制御子等データベースから所定の制御子等を抽出して、指令に応じた制御式を作成する。そしてこの制御式を実行すると、グループ管理手段等がＩＤグループの作成を行うことになる。
【００２５】
以上に説明した本発明のいずれのグループ分けシステムにおいても、前記他の一つ以上の携帯端末から近接端末間交信手段によりＩＤ情報を取得する前記一の携帯端末は、前記他の一つ以上の携帯端末から近接端末間交信手段を介して当該携帯端末のデータ通信先に関する情報（例えば、当該他の一つ以上の携帯端末の電話番号、メールアドレスなど）を取得すると共に、前記他の一つ以上の携帯端末から取得した情報により当該携帯端末が本発明のシステム用のアプリケーション（コンピュータプログラム）を当該携帯端末の記憶部（例えば、メモリ装置）に備えている携帯端末（例えば、本発明のシステム用のアプリケーションがダウンロードされている携帯端末、あるいは、本発明のシステム用のアプリケーションがメモリ装置に格納されている状態で市販されている携帯端末）であるかどうかを判断する処理動作と、当該携帯端末が前記アプリケーションを記憶部に備えていない携帯端末であると判断したときに、前記取得した携帯端末のデータ通信先に関する情報を、前記グループ分け管理サーバへ送信する処理動作を行なう機能を有し、前記グループ分け管理サーバは、前記一の携帯端末から、前記携帯端末のデータ通信先に関する情報を取得したときに、当該データ通信先に関する情報に基づいて、前記アプリケーションを、前記携帯端末へダウンロードし、会員ＩＤを割り振る処理動作を行なう機能を有するようにすることができる。
【００２６】
あるいは、以上に説明した本発明のいずれのグループ分けシステムにおいても、前記他の一つ以上の携帯端末から近接端末間交信手段によりＩＤ情報を取得する前記一の携帯端末は、前記他の一つ以上の携帯端末から近接端末間交信手段を介して当該携帯端末の携帯端末機器ＩＤ、近接交信手段機器のＩＤ（例えば、チップＩＤなど）、使用者ＩＤあるいは契約者ＩＤの中のいずれかを取得すると共に、前記他の一つ以上の携帯端末から取得した情報により当該携帯端末が本発明のシステム用のアプリケーション（コンピュータプログラム）を当該携帯端末の記憶部（例えば、メモリ装置）に備えている携帯端末（例えば、本発明のシステム用のアプリケーションがダウンロードされている携帯端末、あるいは、本発明のシステム用のアプリケーションがメモリ装置に格納されている状態で市販されている携帯端末）であるかどうかを判断する処理動作と、当該携帯端末が前記アプリケーションを記憶部に備えていない携帯端末であると判断したときに、前記取得した携帯端末の携帯端末機器ＩＤ、近接交信手段機器のＩＤ、使用者ＩＤあるいは契約者ＩＤの中のいずれかを、前記グループ分け管理サーバへ送信する処理動作を行なう機能を有し、前記グループ分け管理サーバは、前記一の携帯端末から、前記携帯端末の携帯端末機器ＩＤ、近接交信手段機器のＩＤ、使用者ＩＤあるいは契約者ＩＤの中のいずれかを取得したときに、当該取得した前記携帯端末機器ＩＤ、近接交信手段機器のＩＤ、使用者ＩＤあるいは契約者ＩＤの中のいずれかに基づいて、前記携帯端末機器ＩＤ、近接交信手段機器のＩＤ、使用者ＩＤあるいは契約者ＩＤをＩＤ管理データベースにより管理しているＩＤ管理サーバ（例えば、前記携帯端末機器ＩＤ、近接交信手段機器のＩＤ、使用者ＩＤあるいは契約者ＩＤをＩＤ管理データベースにより管理しているサーバ装置であって、携帯キャリアーのサーバ装置のように前記携帯端末の管理を行うサーバ装置、ＩＣチップ付加価値サービス会社のサーバ装置、公共のＵｃｏｄｅ管理サーバ装置、前記携帯端末に装備された近接交信機器の管理サーバ装置、など）へ、ネットワークを介してアクセスし、前記取得した前記携帯端末機器ＩＤ、近接交信手段機器のＩＤ、使用者ＩＤあるいは契約者ＩＤの中のいずれかで特定される携帯端末のデータ通信先に関する情報（例えば、当該他の一つ以上の携帯端末の電話番号、メールアドレスなど）を取得し、当該データ通信先に関する情報に基づいて、前記アプリケーションを、前記携帯端末へダウンロードし、会員ＩＤを割り振る処理動作を行なう機能を有するようにすることができる。
【００２７】
また、以上に説明した本発明のいずれのグループ分けシステムにおいても、前記他の一つ以上の携帯端末から近接端末間交信手段によりＩＤ情報を取得する前記一の携帯端末は、前記他の一つ以上の携帯端末と近接端末間交信手段を介して交信した際に、当該携帯端末から取得した情報により、当該携帯端末が、本発明のシステム用のアプリケーション（コンピュータプログラム）を当該携帯端末の記憶部（例えば、メモリ装置）に備えている携帯端末（例えば、本発明のシステム用のアプリケーションがダウンロードされている携帯端末、あるいは、本発明のシステム用のアプリケーションがメモリ装置に格納されている状態で市販されている携帯端末）であるかどうか判断する処理動作と、会員ＩＤが割り振られている携帯端末であるかどうかを判断する処理動作を行なうと共に、当該携帯端末が、前記アプリケーションを記憶部に備えている携帯端末であるが会員ＩＤが割り振られていない携帯端末であると判断したときに、当該携帯端末に対して、近接端末間交信手段を介して、前記アプリケーションを起動させるための情報を送信する処理動作を行なう機能を有するようにすることができる。
【００２８】
更に、以上に説明した本発明のいずれのグループ分けシステムにおいても、前記グループ管理手段は、ＩＤ情報組合せデータベースに記録されたＩＤ情報組合せに共通のＩＤ情報があるものをリンクさせることで、ＩＤグループを形成するたびごとに、その形成時間に関連付けて、形成されたＩＤグループに関する情報をＩＤグループ管理データベースに登録すると共に、同一のＩＤグループの形成過程に関する情報をそのたびごとに、更新し、更新履歴情報をＩＤグループ管理データベースに登録する処理動作を行なう機能を有するようにすることができる。
【００２９】
また、以上に説明した本発明のいずれのグループ分けシステムにおいても、前記グループ管理手段は、あらかじめ定められている時間ごとに、ＩＤグループ管理データベースに登録されている所定の情報、あるいは、グループ分け管理サーバにアクセスしてきた端末からの要求に応じて、当該要求に対応するＩＤグループ管理データベースに登録されている所定の情報を出力する処理動作を行なう機能を有するようにすることができる。
【００３０】
次に、上記目的を達成するために本発明がさらに提案するものは、イベントに参加する複数の参加者のグループ分けにおいて、近接携帯端末間での情報送受信可能な近接端末間交信手段を備えた、前記各参加者の所持する携帯端末と情報を送受信して前記参加者のグループ分けを行うグループ分け管理サーバであって、前記参加者の会員ＩＤ情報を記録する会員個人情報データベースと、一の携帯端末が前記近接端末間交信手段により他の一つ以上の携帯端末から取得したＩＤ情報と前記一の携帯端末のＩＤ情報とのＩＤ情報の組合せを受信して記録するＩＤ情報組合せデータベースと、開催する少なくとも１以上のイベント内容を記録するイベント管理データベースと、前記ＩＤ情報の組合せに基づいて形成されるＩＤグループを登録するＩＤグループ管理データベースと、前記携帯端末と情報を送受信する管理サーバ送受信手段と、前記ＩＤ情報組合せデータベースに記録されたＩＤ情報組合せに共通のＩＤ情報があるものをリンクさせることで前記ＩＤグループを形成するクループ管理手段と、上記各データベースと上記各手段を制御する制御手段とを有し、前記グループ管理手段は、予め設定されたグループ形成条件に基づいてイベント参加のグループとして前記ＩＤグループを形成することを特徴とするグループ分け管理サーバである。
【００３１】
ここでも、ＩＤ情報組合せデータベースに記録されたＩＤ情報組合せに共通のＩＤ情報があるものをリンクさせるとは、例えば、共通のＩＤ情報があるものを結合させたり、グループ形成条件にしたがって制御することにより、共通のＩＤ情報があるもののグループを形成することをいう。
【００３２】
また、クループ管理手段によるＩＤグループの形成とは、例えば、複数の参加者を一つのグループにしたり、複数の参加者を複数のグループに分割したり、所属ＩＤに属性を付与することによって、複数の参加者をグループ分けすることをいう。
【００３３】
前述した本発明のグループ分け管理サーバは、少なくとも前記携帯端末の画面上に表示する表現パターン情報を記録する表現パターンデータベースを更に有し、前記グループ管理手段は、前記共通ＩＤ情報があるＩＤ情報の組合せ又はＩＤグループをリンクさせて新たなＩＤグループを形成する毎に、前記表現パターンデータベースから抽出した所定の表現パターン情報を、前記新たなＩＤグループに属する参加者の携帯端末に送信する形態にすることができる。
【００３４】
前述した本発明のいずれのグループ分け管理サーバにおいても、前記グループ管理手段は、ＩＤ情報組合せデータベースに記録されたＩＤ情報組合せに共通のＩＤ情報があるものをリンクさせることで、ＩＤグループを形成するたびごとに、その形成時間に関連付けて、形成されたＩＤグループに関する情報をＩＤグループ管理データベースに登録すると共に、同一のＩＤグループの形成過程に関する情報をそのたびごとに、更新し、更新履歴情報をＩＤグループ管理データベースに登録する機能を有するものとすることができる。
【００３５】
また、前述した本発明のいずれのグループ分け管理サーバにおいても、前記グループ管理手段は、あらかじめ定められている時間ごとに、ＩＤグループ管理データベースに登録されている所定の情報、あるいは、グループ分け管理サーバにアクセスしてきた端末からの要求に応じて、当該要求に対応するＩＤグループ管理データベースに登録されている所定の情報を出力する処理動作を行なう機能を有するものとすることができる。
【００３６】
更に、上記目的を達成するために本発明がさらに提案するものは、イベントに参加する複数の参加者をグループ分けするに際し、近接携帯端末間での情報送受信可能な近接端末間交信手段を備えた前記参加者の所持する携帯端末と情報を送受信してグループ分け処理を管理サーバに実行させるグループ分けプログラムであって、一の携帯端末が前記近接端末間交信手段により他の一つ以上の携帯端末から取得したＩＤ情報と前記一の携帯端末のＩＤ情報とのＩＤ情報の組合せを前記一の携帯端末から受信する処理と、受信した前記ＩＤ情報の組合せに共通のＩＤ情報があるものをリンクさせることで前記ＩＤグループを予め設定されたグループ形成条件に基づいてイベント参加のグループとして形成する処理と、をコンピュータ（例えば、前記管理サーバ）に実行させることを特徴とするグループ分けプログラムである。
【００３７】
なお、ここでも、ＩＤ情報の組合せに共通のＩＤ情報があるものをリンクさせることで前記ＩＤグループを予め設定されたグループ形成条件に基づいてイベント参加のグループとして形成する処理とは、例えば、共通のＩＤ情報があるものを結合させたり、グループ形成条件にしたがって制御することにより、共通のＩＤ情報があるもののグループを形成し、複数の参加者を一つのグループにしたり、複数の参加者を複数のグループに分割したり、所属ＩＤに属性を付与することによって、複数の参加者をグループ分けすることをいう。
【００３８】
かかる本発明のコンピュータプログラムが、コンピュータで実行されることにより、前述した処理動作を行なう本発明のグループ分け管理サーバが実現されることになる。
【発明の効果】
【００３９】
本発明によれば、イベント参加者のグループ形成を参加者の意思に基づきリアルタイムに形成することができる。また形成されたグループの参加者の同時同所性（同一の時間に、同一の地域、領域に所在していること）を主催者側は、常時把握することができる。
【００４０】
さらに、本発明によれば、他種のイベントやゲームの管理を行う機器やプログラムに対して、様々な目的で自主的にグループ分けされた現地で参加が確認された参加者情報を、低コストでデジタル情報として提供することが出来る。
【発明を実施するための最良の形態】
【００４１】
以下、添付図面を参照して本発明の好ましい実施形態を説明する。
【００４２】
図１は本発明に係るグループ分けシステムの全体構成図、図２は携帯端末の概略構成図、図３（ａ）は表示画面装置の斜視図、同（ｂ）は表示画面装置の概略構成図、図４はグループ分け管理サーバの概略構成図、図５はグループ分けシステムの動作を示す流れ図、図６は携帯端末の表示画面図、図７（ａ）は会員個人情報データベース一覧図、同（ｂ）はイベント管理データベース一覧図、図８（ａ）は表現パターンデータベース一覧図、同（ｂ）はＩＤグループ管理データベース一覧図である。
【００４３】
図１に概略構成の一例を示すように、本発明のグループ分けシステムは、主としてグループ分け管理サーバ１と、このグループ分け管理サーバ１にグレープ分け開始等の指令を行う主催者端末２と、グループ分けを行うイベントに参加する参加者各人がそれぞれ所持する携帯端末３（３ａ、３ｂ、・・・３ｎ）と、参加者の首から吊り下げる表示画面装置４（４ａ、４ｂ、・・・、４ｎ）を備えている構成にすることができる。
【００４４】
グループ分け管理サーバ１と主催者端末２とは直接ケーブル等で接続されている形態にすることができる。
【００４５】
また、携帯端末３とグループ分け管理サーバ１との間では、例えば、図示のように、携帯端末３から無線により基地局５を経て、携帯電話回線網６、ゲートウェイ７そしてインターネット８を介して、携帯端末３からグループ分け管理サーバ１に情報送受信経路が形成されている。
【００４６】
表示画面装置４（４ａ、４ｂ、・・・、４ｎ）は、それぞれ対応する携帯端末３（３ａ、３ｂ、・・・３ｎ）と無線で画面表示等の情報を受信するようになっている。すなわち、同一の参加者が所持している表示画面装置４と、携帯端末３との間で、表示画面装置４が、携帯端末３から、無線で画面表示等の情報を受信するようになっている。
【００４７】
次に、携帯端末３の概略構成の一例を図２を参照して説明する。
【００４８】
携帯端末３は、イベント参加者の各人がそれぞれ所持するものであり、図示の実施形態では全て動一機能を有するものとして説明している。
【００４９】
携帯端末３（総称として携帯端末３といい、適宜携帯端末３ａ等の個々の表示をする。）は、図示の実施形態では、基地局５と無線通信を行う端末送受信手段１０と、文字や画像を表示する表示手段１２と、着信等を知らせる発光手段１３と、同じく音声を発生する発音手段１６と、近接する端末相互の間で情報の交信を行う近接端末間交信手段１７と、メモリ装置である端末記録手段１８と、これら各手段を制御する制御手段とを有してなり、これらがバス１９で接続されている。
【００５０】
携帯端末３は、インターネット接続機能あるいは公衆回線接続機能を有するものであれば、携帯電話やＰＤＡ等が該当し、これに上記の近接端末間交信手段１７が備えられているものである。
【００５１】
近接端末間交信手段１７としては、赤外線で情報を送受信する赤外線送受信装置が該当するが、これ以外にＲＦＩＤによる送受信、二次元バーコード等とそのリーダ等とを用いた情報交信装置が該当する。
【００５２】
また、発光手段１３、発音手段１５としては、携帯電話等で着信を知らせるランプ、スピーカ等が該等する。
【００５３】
次に、図３を参照して、表示画面装置４（４ａ、４ｂ、・・・、４ｎ）を説明する。図３（ａ）に一例を示した表示画面装置４は薄型直方体のプレート体２１であり、首掛用の紐２２が装着されており、使用時は首から吊下げるものである。そしてプレート体２１の一面に液晶の表示画面２３と、発光ランプ２５と、スピーカ２６とが設けられており、イベント参加者が所持する携帯端末３と同様の表現パターンである画面表示、発光、発生音が生じるようになっている。
【００５４】
そのため、図示の実施形態では、表示画面装置４は、イベント参加者が所持する携帯端末３が受信した表現パターン情報を、無線で携帯端末３からさらに受信できるようになっている。なお画面表示措置４と携帯端末３とは、無線通信に代えて有線通信により情報送信を行うようにしてもよい。
【００５５】
図３（ｂ）は、表示画面装置４の概略構成の一例を示す図である。
【００５６】
図示の実施形態では、参加者の身体に吊り下げ可能になっている表示画面装置４は、参加者の所持する携帯端末３と無線通信で情報を受信する受信手段３１と、受信した情報である表現パターンによる文字、画像を表示画面２３に表示する表示手段３３と、同じく表現パターンによる発光を発光ランプ２５により行う発光手段３５と、同じく表現パターンによる音をスピーカ２６によって発生させる音声発生手段３６と、これら各手段を制御する制御手段３２と、電源３７とを有し、上記各手段はバス３７により接続されている。
【００５７】
図４はグループ分け管理サーバ１と主催者端末２の概略構成の一例を示す図である。
【００５８】
グループ分け管理サーバ１は、記録手段としての各種データベースを備えている。図示の実施形態では、この各種データベースには、イベントへの参加者の会員ＩＤ情報を記録する会員個人情報データベース５１、一の携帯端末が前記近接端末間交信手段により他の携帯端末から取得したＩＤ情報と前記一の携帯端末のＩＤ情報とのＩＤ情報の組合せを記録するＩＤ情報組合せデータベース５２、開催する少なくとも１以上のイベント内容を記録するイベント管理データベース５３、ＩＤ情報の組合せに基づいて形成されるＩＤグループを登録するＩＤグループ管理データベース５５、携帯端末の少なくとも画面上に表示する表現パターン情報を記録する表現パターンデータベース５６、グループ分け管理サーバ１にグループ分けの各処理を実行させるプログラムを作成するための各種の制御子等を記録する制御子等データベース５７が含まれている。
【００５９】
また、グループ分け管理サーバ１は、図示の実施形態では、インターネットや各キャリアーと接続して情報を送受信するための管理サーバ送受信手段６１と、主催者端末２と接続するための管理サーバＩ／Ｆ（インターフェイス）６２と、イベント開催時刻情報を発生する時刻情報発生手段６５と、制御子等データベース５７に記録されている各種制御子から処理プログラムである制御式を作成する制御式作成手段６６と、グループ管理手段６７と、これら各手段を制御する制御手段６３とを備えている。そしてこれら各手段と各データベースはバス６８により情報を送受信している。
【００６０】
グループ管理手段６７は、参加者の所持する携帯端末３から送信されるＩＤ情報の組合せから、ＩＤ情報組合せデータベース５２に記録されたＩＤ情報組合せに共通のＩＤ情報があるものをリンクさせる（例えば、共通のＩＤ情報があるものを結合させたり、グループ形成条件にしたがって制御することにより、共通のＩＤ情報があるもののグループを形成する）ことで、ＩＤグループを形成する（例えば、複数の参加者を一つのグループにしたり、複数の参加者を複数のグループに分割したり、所属ＩＤに属性を付与することによって、複数の参加者をグループ分けする）処理動作を行なう。すなわち、グループ管理手段６７は、参加者の所持する携帯端末３から送信されるＩＤ情報の組合せからＩＤグループを発展的に形成する処理を行なう。
【００６１】
そして、グループ管理手段６７は、ＩＤ情報組合せデータベース５２に記録されたＩＤ情報組合せに共通のＩＤ情報があるものをリンクさせることで、ＩＤグループを形成するたびごとに、その形成時間（たとえば、イベント開始時刻からの経過時間）に関連付けて、形成されたＩＤグループに関する情報をＩＤグループ管理データベース５５に登録すると共に、同一のＩＤグループの形成過程に関する情報をそのたびごとに、更新する（例えば、イベント開始時刻から１０分経過時点で、会員ＩＤ１００と、会員ＩＤ１５９と、会員ＩＤ１６０とからなっていたＩＤグループが、イベント開始時刻から１５分経過時点で、会員ＩＤ１００と、会員ＩＤ１５９と、会員ＩＤ１６０と、会員ＩＤ２０３と、会員ＩＤ２４７と、会員ＩＤ２８９とからなるＩＤグループに拡大し、イベント開始時刻から２５分経過時点で、会員ＩＤ１００と、会員ＩＤ２０３と、会員ＩＤ２４７と、会員ＩＤ２８９とからなるＩＤグループと、会員ＩＤ１５９と、会員ＩＤ１６０と、会員ＩＤ５９と、会員ＩＤ６２と、会員ＩＤ３０４とからなるＩＤグループとに分割された、等々の更新履歴情報がグループ管理手段６７が行なう処理動作によって、ＩＤグループ管理データベース５５に登録される）。
【００６２】
また、グループ管理手段６７は、ＩＤグループが形成されたことを、その形成時間（たとえば、イベント開始時刻からの経過時間）に関連付けて、形成されたＩＤグループに関する情報をＩＤグループ管理データベース５５に登録するたびごとに、当該ＩＤグループに属する参加者の携帯端末３に表現パターン情報を送信する。
【００６３】
そして、グループ管理手段６７は、あらかじめ定められている時間ごとに、あらかじめ本発明のグループ分けコンピュータプログラムに組み込まれている指示により、あるいは、主催者端末２などのように、ネットワーク等を介してグループ分け管理サーバ１にアクセスしてきた端末からの要求に応じて、ＩＤグループ管理データベース５５に登録されている所定の情報、例えば、ＩＤグループに関する情報（何人ずつ、何個のＩＤグループが形成されたか、各ＩＤグループに属している人の性別などの属性、等々の情報）どのような属性の参加者によって、どのようなＩＤグループが作成されているかに関する情報、イベント開始時刻からの時間オ経過に応じてＩＤグループが形成されていく履歴に関する情報、以上のようなＩＤグループに関する情報に付帯させたイベントの属性に関する情報、等々を、出力する処理動作を行なう。
【００６４】
なお、グループ管理手段６７が行なうかかる処理動作によって、ＩＤグループ管理データベース５５から出力された情報は、電子情報として、他に提供することが可能になる。
【００６５】
前記において、イベント開始時刻情報の発生は、予めデータベース上に定められた時刻によるものの外、主催者端末２からの指令や、参加予定者の携帯端末３による開始要求入力によるものとしても良い。
【００６６】
グループ分け管理サーバ１は、専用機を用いてもよいが、汎用機であるパーソナルコンピュータやワークステーション等にモデム等の周辺機器を組合せ、所定のプログラムを作動させることで上記各手段の各機能を発揮させる形態にすることができる。この場合、前述した各データベースにはハードディスク等の外部記憶装置が該当し、制御手段６３、制御式作成手段６６、グループ管理手段６７等には、ＣＰＵ、ＲＡＭ等が該当する。
【００６７】
主催者端末２は、図示の実施形態では、各種の指令や各データベースへの登録、変更の情報を入力するための入力手段７１と、入力情報や受信情報を画面表示する表示手段７２と、グループ分け管理サーバ１と情報を送受信するための接続手段である主催者端末Ｉ／Ｆ（インターフェイス）７３と、これらの各手段を制御する主催者端末制御手段７４とを有し、これら各手段は情報を相互に送受信するため、バス７５で接続されている。主催者端末２には、汎用機であるパーソナルコンピュータやＰＤＡ等が該当する。
【００６８】
次に、本発明のグループ分けシステムが行なう処理動作について、図５の流れ図を参照して説明する。
【００６９】
グループ分け管理サーバ（単に「管理サーバ」ということがある）１は、イベントへの参加者が所持する携帯端末３（３ａ、３ｂ、・・・、３ｎ）にイベント参加開始の初期表現パターンを送信する（Ｓ１）。
【００７０】
この送信は主催者端末２の入力手段からの開始指令を受けて行なわれるようにすることができる。なお、イベント参加開始の初期表現パターンは、特定イベントへの参加を求めるための制御式からなる表現ファイルを送信するものである。
【００７１】
参加者の所持する携帯端末３では、本システム実行のためのアプリケーションを起動し、受信した初期表現パターンを表示する（Ｓ２）。
【００７２】
予め、インターネット上の連絡、その他の手段で参加者リストに連絡先、データ通信先が登録された参加予定者には、専用の携帯端末３や表示画面装置４が送られるか、汎用の携帯端末３に専用機と同様の機能を持たせるアプリケーションが、グループ分け管理サーバ１等の、本発明のグループ分けシステムを提供する者（例えば、イベント主催者）がインターネット等に接続しているサーバ装置からダウンロードされ、会員ＩＤが割り振られ、参加者リストに会員ＩＤが登録される。
【００７３】
また、現地でイベント開始後、そこに所在している人がイベントへの参加を希望する場合であって、他イベントに参加して受領した本発明のシステムの専用端末（専用の携帯端末３）を既に持っているか、汎用の携帯端末３に本発明のシステム用のアプリケーションが他イベントに参加して既にダウンロードされているときは、参加者リストに登録された参加者を見つけ、一方の携帯端末３ａ（参加者リストに登録されていないが、イベントへの参加を希望する者が所持している本発明のシステムの専用の携帯端末、あるいは本発明のシステム用のアプリケーションが前述したようにして既にダウンロードされている汎用の携帯端末）が、他方の携帯端末３ｂ（参加者リストに登録された参加者が所持している本発明のシステムの専用の携帯端末、あるいは本発明のシステム用のアプリケーションが前述したようにして既にダウンロードされている汎用の携帯端末）からそのＩＤ情報（会員ＩＤ）を取得する（Ｓ３）。
【００７４】
このＩＤ情報（会員ＩＤ）はそれぞれ参加者毎に登録されているもので、所持する携帯端末３の端末記録手段１８であるメモリに記録されている。携帯端末３の近接端末間交信手段１７である赤外線装置にてＩＤ情報（会員ＩＤ）を交信取得するものである。
【００７５】
また、汎用の携帯端末を所持してアプリケーションをダウンロードしていない参加希望者が居る場合は、近接端末間交信手段１７によってデータ通信先を交換する機能が存在するならそれを交換し、無いならＵＲＬ等の検索によりアプリケーションをダウンロードし、会員ＩＤを割り振る。
【００７６】
例えば、参加者リストに登録された参加者が所持している本発明のシステムの専用の携帯端末３、あるいは本発明のシステム用のアプリケーションが前述したようにして既にダウンロードされている汎用の携帯端末３から、近接端末間交信手段１７を介して、汎用の携帯端末を所持してアプリケーションをダウンロードしていない参加希望者（他人）の当該携帯端末と交信し、当該参加希望者（他人）の携帯端末のデータ通信先に関する情報（例えば、当該他人の携帯端末の電話番号屋、メールアドレスなど）を取得する。
【００７７】
ここで、参加者リストに登録された参加者が所持している本発明のシステムの専用の携帯端末３、あるいは本発明のシステム用のアプリケーションが前述したようにして既にダウンロードされている汎用の携帯端末３は、本発明のシステム用のアプリケーション（コンピュータプログラム）の指示により、当該他人が所持している携帯端末から取得した情報により、当該他人が所持している携帯端末が本発明のシステム用のアプリケーションを当該携帯端末の記憶部（例えば、メモリ装置である端末記録手段１８）に備えている携帯端末（例えば、本発明のシステム用のアプリケーションがダウンロードされている携帯端末、あるいは、本発明のシステム用のアプリケーションが端末記録手段１８に格納されている状態で市販されている携帯端末）であるかどうかを判断する処理動作と、当該他人が所持している携帯端末が本発明のシステム用のアプリケーションを端末記録手段１８に備えていない携帯端末であると判断したときに、この当該参加希望者の携帯端末のデータ通信先に関する情報を、参加者リストに登録された参加者が所持している本発明のシステムの専用の携帯端末３から、グループ分け管理サーバ１へ送信する処理動作を行なう機能を備えている。
【００７８】
そこで、グループ分け管理サーバ１が、前記参加希望者の携帯端末のデータ通信先に関する情報に基づいて、アプリケーションを、前記参加希望者の携帯端末へダウンロードし、会員ＩＤを割り振ることができる。
【００７９】
この場合、グループ分け管理サーバ１は、本発明のグループ分けプログラムに含まれているプログラムにより、グループ分け管理サーバ１の処理動作部をして、携帯端末３から、前記参加希望者（他人）の携帯端末のデータ通信先に関する情報（例えば、当該他人の携帯端末の電話番号屋、メールアドレスなど）を取得したときに、前記参加希望者の携帯端末のデータ通信先に関する情報に基づいて、本発明のシステム用のアプリケーションを、前記参加希望者の携帯端末へダウンロードし、会員ＩＤを割り振る処理動作を行なうものである。
【００８０】
また、参加者リストに登録された参加者が所持している本発明のシステムの専用の携帯端末３、あるいは本発明のシステム用のアプリケーションが前述したようにして既にダウンロードされている汎用の携帯端末３から、近接端末間交信手段１７を介して、汎用の携帯端末を所持してアプリケーションをダウンロードしていない参加希望者の当該携帯端末と交信し、当該参加希望者（他人）の携帯端末の携帯端末機器ＩＤ、近接端末間交信手段のＩＤ（例えば、チップＩＤなど）、使用者ＩＤあるいは契約者ＩＤの中のいずれかを取得する。
【００８１】
ここで、参加者リストに登録された参加者が所持している本発明のシステムの専用の携帯端末３、あるいは本発明のシステム用のアプリケーションが前述したようにして既にダウンロードされている汎用の携帯端末３は、本発明のシステム用のアプリケーション（コンピュータプログラム）の指示により、当該他人が所持している携帯端末から取得した情報により、当該他人が所持している携帯端末が、本発明のシステム用のアプリケーションを当該携帯端末の記憶部（例えば、メモリ装置である端末記録手段１８）に備えている携帯端末（例えば、本発明のシステム用のアプリケーションがダウンロードされている携帯端末、あるいは、本発明のシステム用のアプリケーションが端末記録手段１８に格納されている状態で市販されている携帯端末）であるかどうかを判断する処理動作と、当該他人が所持している携帯端末が本発明のシステム用のアプリケーションを端末記録手段１８に備えていない携帯端末であると判断したときに、前記取得していた当該参加希望者（他人）の携帯端末の携帯端末機器ＩＤ、近接端末間交信手段のＩＤ（例えば、チップＩＤなど）、使用者ＩＤあるいは契約者ＩＤの中のいずれかを、参加者リストに登録された参加者が所持している本発明のシステムの専用の携帯端末３から、グループ分け管理サーバ１へ送信する処理動作を行なう機能を備えている。
【００８２】
そこで、グループ分け管理サーバ１が、当該取得した携帯端末機器ＩＤ、近接交信手段機器のＩＤ、使用者ＩＤあるいは契約者ＩＤの中のいずれかに基づいて、当該携帯端末機器ＩＤ、近接交信手段機器のＩＤ、使用者ＩＤあるいは契約者ＩＤをＩＤ管理データベースにより管理しているＩＤ管理サーバ（例えば、前記の携帯端末機器ＩＤ、近接交信手段機器のＩＤ、使用者ＩＤあるいは契約者ＩＤをＩＤ管理データベースにより管理しているサーバ装置であって、携帯キャリアーのサーバ装置のように前記参加希望者（他人）の携帯端末の管理を行うサーバ装置、ＩＣチップ付加価値サービス会社のサーバ装置、公共のＵｃｏｄｅ管理サーバ装置、前記参加希望者（他人）の携帯端末に装備された近接交信機器の管理サーバ装置、など）へ、ネットワークを介してアクセスし、前記取得した前記携帯端末機器ＩＤ、近接交信手段機器のＩＤ、使用者ＩＤあるいは契約者ＩＤの中のいずれかで特定される携帯端末のデータ通信先に関する情報（例えば、前記参加希望者（他人）の携帯端末の電話番号、メールアドレスなど）を取得し、当該データ通信先に関する情報に基づいて、本発明のシステム用のアプリケーションを、前記参加希望者（他人）の携帯端末へダウンロードし、会員ＩＤを割り振ることができる。
【００８３】
この場合、グループ分け管理サーバ１は、本発明のグループ分けプログラムに含まれているプログラムにより、グループ分け管理サーバ１の処理動作部をして、携帯端末３から、前記参加希望者（他人）の携帯端末の携帯端末機器ＩＤ、近接交信手段機器のＩＤ、使用者ＩＤあるいは契約者ＩＤの中のいずれかを取得したときに、当該取得した携帯端末機器ＩＤ、近接交信手段機器のＩＤ、使用者ＩＤあるいは契約者ＩＤの中のいずれかに基づいて、当該携帯端末機器ＩＤ、近接交信手段機器のＩＤ、使用者ＩＤあるいは契約者ＩＤをＩＤ管理データベースにより管理しているＩＤ管理サーバ（例えば、前記の携帯端末機器ＩＤ、近接交信手段機器のＩＤ、使用者ＩＤあるいは契約者ＩＤをＩＤ管理データベースにより管理しているサーバ装置であって、携帯キャリアーのサーバ装置のように前記参加希望者（他人）の携帯端末の管理を行うサーバ装置、ＩＣチップ付加価値サービス会社のサーバ装置、公共のＵｃｏｄｅ管理サーバ装置、前記参加希望者（他人）の携帯端末に装備された近接交信機器の管理サーバ装置、など）へ、ネットワークを介してアクセスし、前記取得した前記携帯端末機器ＩＤ、近接交信手段機器のＩＤ、使用者ＩＤあるいは契約者ＩＤの中のいずれかで特定される携帯端末のデータ通信先に関する情報（例えば、前記参加希望者（他人）の携帯端末の電話番号、メールアドレスなど）を取得し、当該データ通信先に関する情報に基づいて、本発明のシステム用のアプリケーションを、前記参加希望者（他人）の携帯端末へダウンロードし、会員ＩＤを割り振る処理動作を行なうものである。
【００８４】
更に、本発明のシステムの専用の携帯端末３、あるいは本発明のシステム用のアプリケーションが前述したようにして既にダウンロードされている汎用の携帯端末３が、近接端末間交信手段１７を介して他人が所持している携帯端末と交信した際に、当該他人が所持している携帯端末から取得した情報により、当該他人が所持している携帯端末が、本発明のシステム用のアプリケーションを当該携帯端末の記憶部（例えば、メモリ装置である端末記録手段１８）に備えている携帯端末（例えば、本発明のシステム用のアプリケーションがダウンロードされている携帯端末、あるいは、本発明のシステム用のアプリケーションが端末記録手段１８に格納されている状態で市販されている携帯端末）であるかどうかを判断する処理動作と、会員ＩＤが割り振られている汎用の携帯端末であるかどうかを判断する処理動作と、当該他人が所持している携帯端末が本発明のシステム用のアプリケーションを端末記録手段１８に備えている携帯端末であるが会員ＩＤが割り振られていない携帯端末であると判断したときに、当該他人が所持している携帯端末に対して、近接端末間交信手段１７を介して、本発明のシステム用のアプリケーションを起動させるための情報を送信する処理動作とを、本発明のシステム用のアプリケーション（コンピュータプログラム）の指示の下に、前述した本発明のシステムの専用の携帯端末３、あるいは本発明のシステム用のアプリケーションが既にダウンロードされている汎用の携帯端末３が、行なうようにすることもできる。
【００８５】
なお、ここで会員ＩＤとは、このイベント専用の参加者に割り振られるものを想定しているが、複数のイベントを管理する場合は専用機を持つ、あるいはアプリケーションをダウンロードした端末全てに予めＩＤを割り振ることにし、それを参加者リストに登録する形としても良い。
【００８６】
携帯端末３ｂからＩＤ情報（会員ＩＤ）を取得した携帯端末３ａは、自己のＩＤ情報（会員ＩＤ）と組にしたＩＤ情報の組合せを管理サーバに送信する（Ｓ４）。
【００８７】
このＩＤ情報の組合せは、携帯端末３が他人の携帯端末からＩＤ情報を取得したとき毎に、管理サーバ１に送信される形態にすることができる。この送信等は本発明のシステム用のアプリケーション起動により、制御式の指令によって行われる形態にすることができる。
【００８８】
また、一人の参加者が所持している携帯端末３が二つ以上の他人の携帯端末から同時にＩＤ情報（会員ＩＤ）を取得したときには、複数個のＩＤ情報（会員ＩＤ）が同時に交換されたものとして処理し、二つ以上の他人の携帯端末から同時に取得した二つ以上のＩＤ情報（会員ＩＤ）と携帯端末３のＩＤ情報とのＩＤ情報（会員ＩＤ）の組合せを、３個以上のＩＤ情報（会員ＩＤ）の組合せからなるものとして、グループ分け管理サーバ１に送信するようにすることもできる。あるいは、このようなときに、一人の参加者が所持している携帯端末３の処理動作部が行なう処理動作として、なんらかの順番付けを行って、逐次に、２個のＩＤ情報（会員ＩＤ）の組み合わせ（一つの他の携帯端末から取得したＩＤ情報（会員ＩＤ）と携帯端末３のＩＤ情報とのＩＤ情報の組合せ）をグループ分け管理サーバ１に送信するようにもできる。このような処理動作も、プリケーション起動により、制御式の指令によって行われる。
【００８９】
管理サーバ１のグループ管理手段６７では、受信したＩＤ情報（会員ＩＤ）の組合せの各会員ＩＤが登録された会員の会員ＩＤであるかを、会員個人情報データベース５１を検索して判断する（Ｓ５）。このときＩＤ情報（会員ＩＤ）が登録されていないものであるときは参加拒否の通知をＩＤ情報の組合せを送信した携帯端末３に送信する。
【００９０】
ＩＤ情報（会員ＩＤ）の組合せにある２個の会員ＩＤが登録されたものであるときは、ＩＤ情報の（会員ＩＤ）組合せをＩＤ情報組合せデータベース５２に記録する（Ｓ６）。
【００９１】
ここで、グループ管理手段６７が、参加者の所持する携帯端末３から送信されるＩＤ情報の組合せから、ＩＤ情報組合せデータベース５２に記録されたＩＤ情報組合せに共通のＩＤ情報があるものをリンクさせる（例えば、共通のＩＤ情報があるものを結合させたり、グループ形成条件にしたがって制御することにより、共通のＩＤ情報があるもののグループを形成する）ことで、ＩＤグループを形成する（例えば、複数の参加者を一つのグループにしたり、複数の参加者を複数のグループに分割したり、所属ＩＤに属性を付与することによって、複数の参加者をグループ分けする）処理動作を行なう。すなわち、グループ管理手段６７は、参加者の所持する携帯端末３から送信されるＩＤ情報の組合せからＩＤグループを発展的に形成する処理を行なう。
【００９２】
例えば、ＩＤ情報組合せデータベース５２に記録されたＩＤ情報（会員ＩＤ）の組合せについては、他のＩＤ情報（会員ＩＤ）の組合せと共通のＩＤ情報（会員ＩＤ）を有しているかどうかかが判断される（Ｓ７）。共通のＩＤ情報（会員ＩＤ）を有するときはこれらを結合、合体してＩＤグループとする。またすでにＩＤグループとして形成されたものと共通のＩＤ情報があるときも結合、合体して新たなＩＤグループが形成される。
【００９３】
合体して新たなＩＤグループが形成されると、ＩＤグループ管理データベース５５に登録されると共に、この事実を周知させるべく新たなＩＤグループに新たな表現パターンが決定され、ＩＤグループに属する携帯端末３に送信される（Ｓ８）。
【００９４】
また、ＩＤ情報（会員ＩＤ）の組合せがＩＤ情報組合せデータベース５２に登録されたものの、他に共通するＩＤ情報を持つＩＤ情報組合せやＩＤグループがないときは、１組のＩＤ情報（会員ＩＤ）の組合せであるが、ＩＤグループとしてＩＤグループ管理データベース５５に登録するとともに、新たに表現パターンを設定し、このＩＤグループの２台の携帯端末に送信する（Ｓ９）。
【００９５】
この際、グループ管理手段６７は、ＩＤ情報組合せデータベース５２に記録されたＩＤ情報組合せに共通のＩＤ情報があるものをリンクさせることで、ＩＤグループを形成するたびごとに、その形成時間（たとえば、イベント開始時刻からの経過時間）に関連付けて、形成されたＩＤグループに関する情報をＩＤグループ管理データベース５５に登録すると共に、同一のＩＤグループの形成過程に関する情報をそのたびごとに、更新する（例えば、イベント開始時刻から１０分経過時点で、会員ＩＤ１００と、会員ＩＤ１５９と、会員ＩＤ１６０とからなっていたＩＤグループが、イベント開始時刻から１５分経過時点で、会員ＩＤ１００と、会員ＩＤ１５９と、会員ＩＤ１６０と、会員ＩＤ２０３と、会員ＩＤ２４７と、会員ＩＤ２８９とからなるＩＤグループに拡大し、イベント開始時刻から２５分経過時点で、会員ＩＤ１００と、会員ＩＤ２０３と、会員ＩＤ２４７と、会員ＩＤ２８９とからなるＩＤグループと、会員ＩＤ１５９と、会員ＩＤ１６０と、会員ＩＤ５９と、会員ＩＤ６２と、会員ＩＤ３０４とからなるＩＤグループとに分割された、等々の更新履歴情報がグループ管理手段６７が行なう処理動作によって、ＩＤグループ管理データベース５５に登録される）。
【００９６】
ここで管理サーバ１の各データベースに記録される情報の一覧について、図７、図８を参照して説明する。
【００９７】
図７（ａ）は会員個人情報データベース一覧であり、参加者のＩＤ情報（会員ＩＤ）となる会員ＩＤと、会員名、携帯電話番号、性別等の属性情報とが記録されている。図７（ｂ）はイベント管理データベースであり、開催するイベントがそれぞれ記録されており、イベント毎のイベントコード、イベント名、開始日時、そして参加予定の参加者ＩＤ（会員ＩＤ）がそれぞれ記録されている。
【００９８】
図８（ａ）は表現パターンデータベース一覧であり、形成されるＩＤグループを識別するために画面表示、発光パターン、発音パターン等が表現パターンコードで区別できるようにそれぞれ記録されている。図８（ｂ）はＩＤグループ管理データベースであり、各イベント毎に形成されているＩＤグループがＩＤリスト、表現パターンコード、ＩＤグループの識別コードとなる割付コードと共に記載されている。なお図８（ｂ）ではＩＤグループ管理データベースの一部であるイベントコードＩＶ２２４５のイベントへ参加している各ＩＤグループが例示されている。
【００９９】
図６はイベント参加者が所持する携帯端末の表示される表現パターンの概要を説明する表示画面図である。ＩＤグループが新規に、あるいは合体して形成される毎に表現パターンも変化していく。この表現パターンは、表現パターンデータベース一覧の表現パターンコードＰ０００２を表示したものである。画面８０上には文字「かえる組」と、このかえる組の構成員数と全体人数が記載されている。また発光ランプ８１ａ、８１ｂでは光パターンファイルに従った発光がなされ、スピーカ８２からは発音ファイルに定めてある「ｗａｎｔｅｄ」の曲のメロディが流れてくるようになっている。
【０１００】
再び流れ図の図５に戻り、上記説明したように表現パターンを受信することで携帯端末３は文字、画像、光、音でＩＤグループの識別を行うことになる（Ｓ１０）。
【０１０１】
形成されたＩＤグループは予め設定された目標のものになっているかどうかがグループ管理手段６７により判断される（Ｓ１１）。これはグループ形成を指令したプログラムの割付制御式にしたがってグループ分けを行うものである。
【０１０２】
すなわち予め一定数の構成人数以内のグループとして設定されていたときに、グループ人数がその一定数に達したときにＩＤグループ形成が停止され、イベントが開始される（Ｓ１２）。そして各携帯端末３に対してグループ分け完了とイベント成立の旨が送信される（Ｓ１３）。これにより携帯端末３はＩＤ情報の組合せを停止する。
【０１０３】
目標値のグループ数、人数に達していないときは、携帯端末からのＩＤ情報の組合せの送信を受付け、ＩＤグループをさらに発展形成していくことになる（Ｓ１４）。
【０１０４】
このように本発明のグループ分けシステムによれば、イベント参加者が所持する携帯端末の近接端末間交信手段を利用してＩＤ情報を取得し、これよりＩＤ情報の組合せをグループ分け管理サーバに送信することで、共通のＩＤ情報を有するもの同士をリンクしてＩＤグループを形成することができ、参加者の意思を尊重したグループ分けをすることができる。またＩＤグループが形成される段階毎に表現パターンを携帯端末に送信するのでグループ形成を参加者はリアルタイムで認識することができる。
【０１０５】
なお、グループ管理手段６７は、あらかじめ定められている時間ごとに、あらかじめ本発明のグループ分けコンピュータプログラムに組み込まれている指示により、あるいは、主催者端末２などのように、ネットワーク等を介してグループ分け管理サーバ１にアクセスしてきた端末からの要求に応じて、ＩＤグループ管理データベース５５に登録されている所定の情報、例えば、ＩＤグループに関する情報（何人ずつ、何個のＩＤグループが形成されたか、各ＩＤグループに属している人の性別などの属性、等々の情報）どのような属性の参加者によって、どのようなＩＤグループが作成されているかに関する情報、イベント開始時刻からの時間の経過に応じてＩＤグループが形成されていく履歴に関する情報、以上のようなＩＤグループに関する情報に付帯させたイベントの属性に関する情報、等々を、出力する処理動作を行なう。
【０１０６】
グループ管理手段６７が行なうかかる処理動作によって、ＩＤグループ管理データベース５５から出力された情報は、電子情報として、他に提供することが可能になる。
【０１０７】
上記の実施形態における管理サーバ１、主催者端末２、携帯端末３（３ａ、３ｂ、・・・、３ｎ）及び表示画面装置４（４ａ、４ｂ、・・・、４ｎ）での各処理は、グループ分けプログラムにより実行される。このグループ分けプログラムは、各種の制御子の組合せである制御式の形式によるものである。
【０１０８】
すなわち、データベース上のグループに一定の条件に従って割り付けられる、プログラムとデータベースの動作を指定する制御式とその構成要素であり、特殊なプログラミング言語として利用可能で、人間集団の行動を構成員の自主性を相当程度尊重した形で管理でき、さらに一連のデータベースへの制御入力のみで管理することができる大きな利便性を持つものである。また制御子を追加することにより簡単に制御可能な集団行動を利用者に提供できる。
【０１０９】
割り付けられたコードとデータベース上のグループは同一時点では基本的にユニークであるが、データベース上の処理および入力の効率化のため制御上の支障が出ない限りにおいて同一のコードが複数のグループに割り付けられることもある。
【０１１０】
制御式は一連のグループコードにそれぞれ括り付けられ制御子等データベース５７に保管される。制御式のどの要素を実行あるいは適用するか決定する形式指定子、自律的に生成したグループに一定の規則にしたがって制御式を割り付ける割付制御子、そのほかの一定の条件や行動単位の入力によって結合、分裂解散、（行動単位の生成まで含めた）属性の付与と剥奪を行う制御実行子、（特に行動単位の結合指示入力による）グループ同士の結合を制御する結合制御子、一定の条件や入力を管理する状態管理子に分けられる。また具体的なシステム上の要請に基づく他ソフトとの連携やシステムの詳細な振る舞いを制御するものも制御実行子に含まれる。
【０１１１】
これら上記各制御子を図９〜図１６において一覧形式で例示し、さらにこれら制御子を用いた制御式を各イベントのグループ分けを指令する割付制御式としたものを図１７〜図２４においてそれぞれ例示する。
【０１１２】
以上、添付図面を参照して本発明の好ましい実施形態を説明したが、本発明はかかる実施形態に限られるものではなく、特許請求の範囲の記載から把握される技術的範囲において種々の形態に変更可能である。
【図面の簡単な説明】
【０１１３】
【図１】本発明に係るグループ分けシステムの全体構成図。
【図２】携帯端末の概略構成図。
【図３】（ａ）表示画面装置の斜視図、（ｂ）表示画面装置の概略構成図。
【図４】グループ分け管理サーバの概略構成図。
【図５】グループ分けシステムの動作を示す流れ図。
【図６】携帯端末の表示画面図。
【図７】（ａ）会員個人情報データベース一覧図、（ｂ）イベント管理データベース一覧図。
【図８】（ａ）表現パターンデータベース一覧図、（ｂ）ＩＤグループ管理データベース一覧図。
【図９】割付制御式凡例一覧図。
【図１０】割付制御子一覧図の一例。
【図１１】結合制御子一覧図の一例。
【図１２】制御実行子一覧図の一例。
【図１３】制御実行子一覧図の一例。
【図１４】状態管理子（フラグ）一覧図。
【図１５】状態管理子（フラグ）一覧図。
【図１６】主催者命令一覧図。
【図１７】割付制御式図の一例。
【図１８】割付制御式図の一例。
【図１９】割付制御式図の一例。
【図２０】割付制御式図の一例。
【図２１】割付制御式図の一例。
【図２２】割付制御式図の一例。
【図２３】割付制御式図の一例。
【図２４】割付制御式図の一例。
【符号の説明】
【０１１４】
１  （グループ分け）管理サーバ
２  主催者端末
３（３ａ、３ｂ、・・・、３ｎ）  携帯端末
４（４ａ、４ｂ、・・・、４ｎ）  表示画面装置
１７  近接端末間送信手段
５１  会員個人情報ＤＢ
５２  ＩＤ情報組合せＤＢ
５３  イベント管理ＤＢ
５５  ＩＤグループ管理ＤＢ
５６  表現パターンＤＢ
６７  グループ管理手段
【図１】
2007299077.tif 000003
【図２】
2007299077.tif 000004
【図３】
2007299077.tif 000005
【図４】
2007299077.tif 000006
【図５】
2007299077.tif 000007
【図６】
2007299077.tif 000008
【図７】
2007299077.tif 000009
【図８】
2007299077.tif 000010
【図９】
2007299077.tif 000011
【図１０】
2007299077.tif 000012
【図１１】
2007299077.tif 000013
【図１２】
2007299077.tif 000014
【図１３】
2007299077.tif 000015
【図１４】
2007299077.tif 000016
【図１５】
2007299077.tif 000017
【図１６】
2007299077.tif 000018
【図１７】
2007299077.tif 000019
【図１８】
2007299077.tif 000020
【図１９】
2007299077.tif 000021
【図２０】
2007299077.tif 000022
【図２１】
2007299077.tif 000023
【図２２】
2007299077.tif 000024
【図２３】
2007299077.tif 000025
【図２４】
2007299077.tif 000026